(57)【要約】【課題】所望の画像を選択して表示部に表示する手間を削減し、操作性の向上を図る。【解決手段】本発明に係る画像表示装置１０は、全画面表示と、表示領域１１ａを分割した少なくとも第１および第２の分割画面への分割画面表示とが可能であり、少なくとも画像Ａ，Ｂ，Ｃを表示可能な表示部１１と、全画面表示か分割画面表示かに関わらず、画像Ａ，Ｂ，Ｃのいずれが表示されている状態でも、操作されることにより、第１の分割画面に表示する画像を画像Ａ，Ｂ，Ｃの中から選択可能な第１の入力部１２ａと、全画面表示か分割画面表示かに関わらず、画像Ａ，Ｂ，Ｃのいずれが表示されている状態でも、操作されることにより、第２の分割画面に表示する画像を画像Ａ，Ｂ，Ｃの中から選択可能な第２の入力部１２ｂと、を備える。【選択図】図１
2019185563.tif 000002
【特許請求の範囲】
【請求項１】
表示領域の全面への全画面表示と、前記表示領域を分割した少なくとも第１および第２の分割画面への分割画面表示とが可能であり、前記表示領域の全面と、前記第１および第２の分割画面とにそれぞれ少なくとも第１から第３の画像を表示可能な表示部と、
前記全画面表示か前記分割画面表示かに関わらず、前記第１から第３の画像のいずれが表示されている状態でも、操作されることにより、前記第１の分割画面に表示する画像を前記第１から第３の画像の中から選択可能な第１の入力部と、
前記全画面表示か前記分割画面表示かに関わらず、前記第１から第３の画像のいずれが表示されている状態でも、操作されることにより、前記第２の分割画面に表示する画像を前記第１から第３の画像の中から選択可能な第２の入力部と、を備える画像表示装置。
【請求項２】
請求項１に記載の画像表示装置において、
前記第１の入力部は、操作されることにより前記第１の画像を前記第１の分割画面に表示させる第１の主入力部と、操作されることにより前記第１の画像以外の画像を前記第１の分割画面に表示させる第１の副入力部とを有し、
および／または
前記第２の入力部は、操作されることにより前記第１の画像を前記第２の分割画面に表示させる第２の主入力部と、操作されることにより前記第１の画像以外の画像を前記第２の分割画面に表示させる第２の副入力部とを有する、画像表示装置。
【請求項３】
請求項２に記載の画像表示装置において、
前記第１の副入力部は、連続した操作により、前記第１の分割画面に表示させる画像を切り替え、
および／または
前記第２の副入力部は、連続した操作により、前記第２の分割画面に表示させる画像を切り替える、画像表示装置。
【請求項４】
請求項１から３のいずれか一項に記載の画像表示装置において、
前記第１の入力部および／または前記第２の入力部は、１つ以上の押下げ可能なキーにより構成されている、画像表示装置。
【請求項５】
請求項１から４のいずれか一項に記載の画像表示装置において、
前記第１の入力部は、操作されることにより前記第１の画像を前記第１の分割画面に表示させる第１の主入力部と、操作されることにより前記第１の画像以外の画像を前記第１の分割画面に表示させるとともに、連続した操作により、前記第１の分割画面に表示させる画像を切り替える第１の副入力部とを有し、
前記第２の入力部は、操作されることにより前記第１の画像を前記第２の分割画面に表示させる第２の主入力部と、操作されることにより前記第１の画像以外の画像を前記第２の分割画面に表示させるとともに、連続した操作により、前記第２の分割画面に表示させる画像を切り替える第２の副入力部とを有し、
前記第１の主入力部、前記第１の副入力部、前記第２の主入力部および前記第２の副入力部はそれぞれ、表示させた画像の表示状態が維持されている間のみ、所定の視覚効果を提示する、画像表示装置。
【請求項６】
表示領域の全面への全画面表示と、前記表示領域を分割した少なくとも第１および第２の分割画面への分割画面表示とが可能であり、前記表示領域の全面と、前記第１および第２の分割画面とにそれぞれ少なくとも第１から第３の画像を表示可能な表示部と、前記全画面表示か前記分割画面表示かに関わらず、前記第１から第３の画像のいずれが表示されている状態でも、操作されることにより、前記第１の分割画面に表示する画像を前記第１から第３の画像の中から選択可能な第１の入力部と、前記全画面表示か前記分割画面表示かに関わらず、前記第１から第３の画像のいずれが表示されている状態でも、操作されることにより、前記第２の分割画面に表示する画像を前記第１から第３の画像の中から選択可能な第２の入力部とを備えた画像表示装置における画像表示方法であって、
前記第１の入力部への操作により、前記第１の分割画面に前記第１から第３の画像のいずれかを表示する第１の分割画面表示ステップと、
前記第２の入力部への操作により、前記第２の分割画面に前記第１から第３の画像のいずれかを表示する第２の分割画面表示ステップと、を含む画像表示方法。
【請求項７】
請求項６に記載の画像表示方法であって、
前記第１の入力部は、操作されることにより前記第１の画像を前記第１の分割画面に表示させる第１の主入力部と、操作されることにより前記第１の画像以外の画像を前記第１の分割画面に表示させる第１の副入力部とを有し、
前記第１の分割画面表示ステップにおいて、前記第１の副入力部に対する連続した操作により、前記第１の分割画面に表示する画像を切り替え、
および／または
前記第２の入力部は、操作されることにより前記第１の画像を前記第２の分割画面に表示させる第２の主入力部と、操作されることにより前記第１の画像以外の画像を前記第２の分割画面に表示させる第２の副入力部とを有し、
前記第２の分割画面表示ステップにおいて、前記第２の副入力部に対する連続した操作により、前記第２の分割画面に表示する画像を切り替える、画像表示方法。
【請求項８】
表示領域の全面への全画面表示と、前記表示領域を分割した少なくとも第１および第２の分割画面への分割画面表示とが可能であり、前記表示領域の全面と、前記第１および第２の分割画面とにそれぞれ少なくとも第１から第３の画像を表示可能な表示部と、前記全画面表示か前記分割画面表示かに関わらず、前記第１から第３の画像のいずれが表示されている状態でも、操作されることにより、前記第１の分割画面に表示する画像を前記第１から第３の画像の中から選択可能な第１の入力部と、前記全画面表示か前記分割画面表示かに関わらず、前記第１から第３の画像のいずれが表示されている状態でも、操作されることにより、前記第２の分割画面に表示する画像を前記第１から第３の画像の中から選択可能な第２の入力部とを備えた画像表示装置内のコンピュータに、
前記第１の入力部への操作により、前記第１の分割画面に前記第１から第３の画像のいずれかを表示する第１の分割画面表示ステップと、
前記第２の入力部への操作により、前記第２の分割画面に前記第１から第３の画像のいずれかを表示する第２の分割画面表示ステップと、を実行させる画像表示プログラム。
【発明の詳細な説明】
【技術分野】
【０００１】
本発明は、画像表示装置、画像表示方法および画像表示プログラムに関する。
【背景技術】
【０００２】
電力測定器などの測定器には、測定結果などを表示するために、表示部を備える画像表示装置が搭載されることがある。このような画像表示装置の中には、ある内容を示す画像を表示部の表示領域全面に表示する全画面表示の他に、表示部の表示領域を分割した各分割画面に、画像を独立に表示する分割画面表示を行うものがある（例えば、特許文献１参照）。
【先行技術文献】
【特許文献】
【０００３】
【特許文献１】特開平６−２９５１６６号公報
【発明の概要】
【発明が解決しようとする課題】
【０００４】
上述したような画像表示装置においては、操作者が所望の画像を選択して表示部に表示させるための手間を削減し、操作性の向上を図ることが求められている。特許文献１に記載されている画像表示装置においては、表示する画像を如何に選択するかについては十分な検討がなされておらず、操作性の向上の余地があった。
【０００５】
上記のような問題点に鑑みてなされた本発明の目的は、所望の画像を選択して表示部に表示する手間を削減し、操作性の向上を図ることができる画像表示装置、画像表示方法および画像表示プログラムを提供することにある。
【課題を解決するための手段】
【０００６】
本発明の第１の態様としての画像表示装置は、表示領域の全面への全画面表示と、前記表示領域を分割した少なくとも第１および第２の分割画面への分割画面表示とが可能であり、前記表示領域の全面と、前記第１および第２の分割画面とにそれぞれ少なくとも第１から第３の画像を表示可能な表示部と、前記全画面表示か前記分割画面表示かに関わらず、前記第１から第３の画像のいずれが表示されている状態でも、操作されることにより、前記第１の分割画面に表示する画像を前記第１から第３の画像の中から選択可能な第１の入力部と、前記全画面表示か前記分割画面表示かに関わらず、前記第１から第３の画像のいずれが表示されている状態でも、操作されることにより、前記第２の分割画面に表示する画像を前記第１から第３の画像の中から選択可能な第２の入力部と、を備える。
【０００７】
本発明の一実施形態としての画像表示装置において、前記第１の入力部は、操作されることにより前記第１の画像を前記第１の分割画面に表示させる第１の主入力部と、操作されることにより前記第１の画像以外の画像を前記第１の分割画面に表示させる第１の副入力部とを有し、および／または前記第２の入力部は、操作されることにより前記第１の画像を前記第２の分割画面に表示させる第２の主入力部と、操作されることにより前記第１の画像以外の画像を前記第２の分割画面に表示させる第２の副入力部とを有する。
【０００８】
本発明の一実施形態としての画像表示装置において、前記第１の副入力部は、連続した操作により、前記第１の分割画面に表示させる画像を切り替え、および／または前記第２の副入力部は、連続した操作により、前記第２の分割画面に表示させる画像を切り替える。
【０００９】
本発明の一実施形態としての画像表示装置において、前記第１の入力部および／または前記第２の入力部は、１つ以上の押下げ可能なキーにより構成されている。
【００１０】
本発明の一実施形態としての画像表示装置において、前記第１の入力部は、操作されることにより前記第１の画像を前記第１の分割画面に表示させる第１の主入力部と、操作されることにより前記第１の画像以外の画像を前記第１の分割画面に表示させるとともに、連続した操作により、前記第１の分割画面に表示させる画像を切り替える第１の副入力部とを有し、前記第２の入力部は、操作されることにより前記第１の画像を前記第２の分割画面に表示させる第２の主入力部と、操作されることにより前記第１の画像以外の画像を前記第２の分割画面に表示させるとともに、連続した操作により、前記第２の分割画面に表示させる画像を切り替える第２の副入力部とを有し、前記第１の主入力部、前記第１の副入力部、前記第２の主入力部および前記第２の副入力部はそれぞれ、表示させた画像の表示状態が維持されている間のみ、所定の視覚効果を提示する。
【００１１】
本発明の第２の態様としての画像表示方法は、表示領域の全面への全画面表示と、前記表示領域を分割した少なくとも第１および第２の分割画面への分割画面表示とが可能であり、前記表示領域の全面と、前記第１および第２の分割画面とにそれぞれ少なくとも第１から第３の画像を表示可能な表示部と、前記全画面表示か前記分割画面表示かに関わらず、前記第１から第３の画像のいずれが表示されている状態でも、操作されることにより、前記第１の分割画面に表示する画像を前記第１から第３の画像の中から選択可能な第１の入力部と、前記全画面表示か前記分割画面表示かに関わらず、前記第１から第３の画像のいずれが表示されている状態でも、操作されることにより、前記第２の分割画面に表示する画像を前記第１から第３の画像の中から選択可能な第２の入力部とを備えた画像表示装置における画像表示方法であって、前記第１の入力部への操作により、前記第１の分割画面に前記第１から第３の画像のいずれかを表示する第１の分割画面表示ステップと、前記第２の入力部への操作により、前記第２の分割画面に前記第１から第３の画像のいずれかを表示する第２の分割画面表示ステップと、を含む。
【００１２】
本発明の一実施形態としての画像表示方法において、前記第１の入力部は、操作されることにより前記第１の画像を前記第１の分割画面に表示させる第１の主入力部と、操作されることにより前記第１の画像以外の画像を前記第１の分割画面に表示させる第１の副入力部とを有し、前記第１の分割画面表示ステップにおいて、前記第１の副入力部に対する連続した操作により、前記第１の分割画面に表示する画像を切り替え、および／または、前記第２の入力部は、操作されることにより前記第１の画像を前記第２の分割画面に表示させる第２の主入力部と、操作されることにより前記第１の画像以外の画像を前記第２の分割画面に表示させる第２の副入力部とを有し、前記第２の分割画面表示ステップにおいて、前記第２の副入力部に対する連続した操作により、前記第２の分割画面に表示する画像を切り替える。
【００１３】
本発明の第３の態様としての画像表示プログラムは、表示領域を備えた表示部と、複数のキーから構成される操作部とを備える画像表示装置のコンピュータに、前記操作部を構成するキーに対する操作に応じて、前記表示部の表示を制御する処理を実行させ、前記表示領域を分割した分割領域それぞれに対応して、前記操作部を構成する１または複数のキーが割り当てられ、前記キーには、１または複数の画像が割り当てられ、前記表示部の表示を制御する処理では、前記キーに対する操作が行われると、前記操作が行われたキーが割り当てられた分割領域に、前記操作が行われたキーに割り当てられた画像を表示させる。
【発明の効果】
【００１４】
本発明に係る画像表示装置、画像表示方法および画像表示プログラムによれば、所望の画像を選択して表示部に表示する手間を削減し、操作性の向上を図ることができる。
【図面の簡単な説明】
【００１５】
【図１】本発明の一実施形態に係る画像表示装置の構成の一例を示す機能ブロック図である。
【図２】図１に示す画像表示装置を搭載した測定器の外観の一例を示す図である。
【図３】図１に示す表示部による表示の一例を示す図である。
【図４】図１に示す表示内容情報格納部が記憶する、表示領域上の領域と、キーと、画像との割り当ての一例を示す図である。
【図５】参考例としての画像表示装置の構成の一例を示す機能ブロック図である。
【図６】図５に示す画像表示装置を搭載した測定器の外観の一例を示す図である。
【図７】図５に示す画像表示装置の動作の一例を示すフローチャートである。
【図８】図１に示す画像表示装置の動作の一例を示すフローチャートである。
【図９Ａ】図１に示す表示部による、測定器の測定値を示す画像の表示例を示す図である。
【図９Ｂ】図１に示す表示部による、波形表示を示す画像の表示例を示す図である。
【図９Ｃ】図１に示す表示部による、ベクトル表示を示す画像の表示例を示す図である。
【図９Ｄ】図１に示す表示部による、バーグラフ表示を示す画像の表示例を示す図である。
【図９Ｅ】図１に示す表示部による、トレンド表示を示す画像の表示例を示す図である。
【図９Ｆ】図１に示す表示部による、測定器の測定値を示す画像と、波形表示を示す画像との分割画面表示の一例を示す図である。
【図９Ｇ】図１に示す表示部による、測定器の測定値を示す画像と、ベクトル表示を示す画像との分割画面表示の一例を示す図である。
【図１０】図１に示す画像表示装置を搭載した測定器の外観の他の一例を示す図である。
【発明を実施するための形態】
【００１６】
以下、本発明を実施するための形態について、図面を参照しながら説明する。
【００１７】
図１は、本発明の一実施形態に係る画像表示装置１０の構成の一例を示す機能ブロック図である。本実施形態に係る画像表示装置１０は、例えば、電力測定器などの測定器に搭載され、測定器の測定結果を示す画像などを表示する。画像表示装置１０は、測定器以外の電子機器に搭載されてもよい。
【００１８】
図１に示す画像表示装置１０は、表示部１１と、操作部１２と、表示内容情報格納部１３と、表示制御部１４とを備える。
【００１９】
表示部１１は、表示制御部１４の制御に従い、種々の画像を表示領域に表示する。
【００２０】
図２は、画像表示装置１０が搭載された測定器２０の外観の一例を示す図である。測定器２０は、例えば、電気製品の消費電力の測定、パワーコンディショナの直流／交流の変換効率の測定などに用いられる電力測定器である。
【００２１】
表示部１１は、測定器２０の一面に、表示領域１１ａが視認可能なように設けられる。表示部１１は、表示制御部１４の制御に従い、種々の表示態様で画像を表示することができる。
【００２２】
図３は、表示部１１の表示態様の一例を示す図である。
【００２３】
図３に示すように、表示部１１は、表示領域１１ａ全面に、１つの画像（例えば、画像Ａ，Ｂ，Ｃのいずれか）を表示する全画面表示を行うことができる。画像Ａ，Ｂ，Ｃ（第１から第３の画像）はそれぞれ、例えば、画像表示装置１０が搭載された測定器２０による測定結果を示すための画像である。
【００２４】
また、表示部１１は、表示領域１１ａを複数の分割画面に分割し、各分割画面に独立して画像を表示する分割画面表示を行うことができる。図３では、表示領域１１ａを上下に２つの分割画面に分割した例を示している。この例では、表示部１１は、上側の分割画面と、下側の分割画面とにそれぞれ、画像Ａ，Ｂ，Ｃのいずれかを表示することができる。すなわち、表示部１１は、表示領域１１ａの全面への全画面表示と、表示領域１１ａを分割した少なくとも第１および第２の分割画面への分割画面表示とが可能である。なお、分割画面表示の場合に表示される画像Ａ，Ｂ，Ｃはそれぞれ、分割画面表示用に、全画面表示用の画像Ａ，Ｂ，Ｃのサイズの縮小、デザインの変更、簡素化などが行われるが、全画面表示の場合と内容は実質的に同じである。したがって、以下では、全画面表示用の画像Ａ，Ｂ，Ｃと、分割画面表示用の画像Ａ，Ｂ，Ｃとを特に区別することなく、画像Ａ，Ｂ，Ｃと称する。
【００２５】
図１を再び参照すると、操作部１２は、操作者からの操作入力を受け付ける。
【００２６】
操作部１２は、複数のキー１２１（図１においては、６個のキー１２１ａ〜１２１ｆ）から構成される。キー１２１はそれぞれ、例えば、押下げ可能であり、操作者による押下に応じて信号を表示制御部１４に出力する。測定器２０がタッチパネルを備える場合には、キー１２１は、タッチパネル上にオブジェクトとして表示されてもよい。この場合、操作者の指などが接触したタッチパネル上の位置が検出され、検出された位置に対応するキー１２１が押下（選択）されたものとして処理される。なお、操作者が測定器２０を用いた測定を行う際には、手袋を装着しながら作業を行うことがある。この場合、手袋を装着したままでは、タッチパネルを操作できないことがある。キー１２１を物理的なボタンとすることで、操作者が手袋を装着しているような場合にも、操作部１２への操作入力を行うことができる。キー１２１はそれぞれ、押下以外の操作に応じて、信号を表示制御部１４に出力するように構成されてもよい。
【００２７】
表示領域１１ａを複数に分割した分割画面のそれぞれには、操作部１２を構成する１または複数のキー１２１が割り当てられる。また、各キー１２１には、そのキー１２１が割り当てられた分割画面に表示する１または複数の画像が割り当てられる。
【００２８】
例えば、図２，３の例では、例えば、キー１２１ａ，１２１ｂが、表示領域１１ａを上下に分割した２つの分割画面のうち、上側の分割画面に割り当てられる。そして、キー１２１ａには、画像Ａが割り当てられる。また、キー１２１ｂには、画像Ｂ，Ｃが割り当てられる。また、キー１２１ｃ，１２１ｄが、表示領域１１ａを上下に分割した２つの分割画面のうち、下側の分割画面に割り当てられる。そして、キー１２１ｃには、画像Ａが割り当てられる。また、キー１２１ｄには、画像Ｂ，Ｃが割り当てられる。また、キー１２１ｅ，１２１ｆには、全画面表示を行う場合に、表示領域１１ａ全面に表示する画像が割り当てられる。例えば、キー１２１ｅには画像Ａが割り当てられる。また、キー１２１ｆには画像Ｂ，Ｃが割り当てられる。
【００２９】
キー１２１ａおよびキー１２１ｂは、第１の入力部１２ａを構成する。また、キー１２１ａは第１の主入力部の一例である。キー１２１ｂは、第１の副入力部の一例である。また、キー１２１ｃおよびキー１２１ｄは、第２の入力部１２ｂを構成する。キー１２１ｃは第２の主入力部の一例である。キー１２１ｄは、第２の副入力部の一例である。
【００３０】
キー１２１は、ＬＥＤ（Light Emitting Diode）などの発光体を内蔵しており、発光体の発光に応じて、点灯可能である。
【００３１】
図１を再び参照すると、表示内容情報格納部１３は、表示部１１が全画面表示を行う場合に、表示領域１１ａに表示する内容である一画面構成用表示内容を記憶する。例えば、表示内容情報格納部１３は、一画面構成用表示内容として、全画面表示の際に表示領域１１ａに表示される画像を記憶する。また、表示内容情報格納部１３は、表示部１１が分割画面表示を行う場合に、表示領域１１ａに表示する内容である二画面構成用表示内容を記憶する。例えば、表示内容情報格納部１３は、二画面構成用表示内容として、分割画面表示の際に表示領域１１ａを分割した分割画面に表示される画像を記憶する。
【００３２】
また、表示内容情報格納部１３は、表示部１１が分割画面表示を行う場合の、表示領域１１ａを分割した分割画面それぞれへのキー１２１の割り当てを記憶する。また、表示内容情報格納部１３は、表示部１１が全画面表示を行う場合の、各キー１２１への画像の割り当てを記憶する。
【００３３】
上述した例では、表示内容情報格納部１３は、図４に示すように、表示領域１１ａを上下に分割した２つの分割画面のうち、上側の分割画面には、キー１２１ａ，１２１ｂが割り当てられていると記憶する。また、表示内容情報格納部１３は、下側の分割画面には、キー１２１ｃ，１２１ｄが割り当てられていると記憶する。また、表示内容情報格納部１３は、全画面表示を行う場合には、表示領域１１ａ全面に、キー１２１ｅ，１２１ｆが割り当てられていると記憶する。
【００３４】
また、表示内容情報格納部１３は、各キー１２１への画像の割り当てを記憶する。上述した例では、表示内容情報格納部１３は、図４に示すように、キー１２１ａ，１２１ｃには画像Ａが割り当てられていると記憶する。また、表示内容情報格納部１３は、キー１２１ｂ，１２１ｄには画像Ｂ，Ｃが割り当てられていると記憶する。また、表示内容情報格納部１３は、キー１２１ｅには画像Ａが割り当てられていると記憶する。また、表示内容情報格納部１３は、キー１２１ｆには画像Ｂ，Ｃが割り当てられていると記憶する。
【００３５】
表示制御部１４は、操作部１２を構成するキー１２１に対する操作に応じて、表示部１１の表示を制御する。具体的には、表示制御部１４は、キー１２１に対する操作が行われると、操作が行われたキー１２１が割り当てられた分割画面に、操作が行われたキー１２１に割り当てられた画像を表示する。
【００３６】
例えば、表示制御部１４は、キー１２１ａが押下されると、表示内容情報格納部１３を参照し、キー１２１ａが割り当てられている表示領域１１ａ上の領域、および、キー１２１ａに割り当てられている画像を特定する。上述した例では、キー１２１ａには、表示領域１１ａを上下に分割した２つの分割画面のうち、上側の分割画面が割り当てられている。また、キー１２１ａには、画像Ａが割り当てられている。したがって、表示制御部１４は、表示領域１１ａを上下に分割した２つの分割画面のうち、上側の分割画面に、画像Ａを表示する。また、例えば、キー１２１ｅには、表示領域１１ａ全面が割り当てられている。また、キー１２１ｅには、画像Ａが割り当てられている。したがって、表示制御部１４は、キー１２１ｅが押下されると、表示領域１１ａ全面に画像Ａを表示する。
【００３７】
また、表示制御部１４は、表示部１１の表示領域１１ａに表示された画像が割り当てられたキー１２１を点灯させる。すなわち、表示制御部１４は、表示領域１１ａに表示された画像が割り当てられたキー１２１に内蔵された発光体を発光させる。
【００３８】
表示制御部１４は、２画面構成制御部１４１と、１画面構成制御部１４２とを備える。
【００３９】
２画面構成制御部１４１は、キー１２１ａ〜１２１ｄに対する操作が行われると、表示部１１に分割画面表示を行わせ、操作されたキー１２１に応じて、表示部１１の表示を制御する。具体的には、２画面構成制御部１４１は、キー１２１ａ〜１２１ｄに対する操作が行われると、表示内容情報格納部１３に格納されている２画面構成用表示内容を参照し、操作されたキー１２１に割り当てられた分割画面に、そのキー１２１に割り当てられた画像を表示する。
【００４０】
１画面構成制御部１４２は、キー１２１ｅ，１２１ｆに対する操作が行われると、表示部１１に全画面表示を行わせ、操作されたキー１２１に応じて、表示部１１の表示を制御する。具体的には、１画面構成制御部１４２は、キー１２１ｅ，１２１ｆに対する操作が行われると、表示内容情報格納部１３に格納されている１画面構成用表示内容を参照し、表示部１１の表示領域１１ａ全面に、操作されたキー１２１に割り当てられた画像を表示する。
【００４１】
次に、本実施形態に係る画像表示装置１０の動作について説明する。まず、比較のために、参考例としての画像表示装置１０Ａについて説明する。
【００４２】
図５は、参考例としての画像表示装置１０Ａの構成の一例を示す機能ブロック図である。また、図６は、図５に示す画像表示装置１０Ａが搭載された測定器２０Ａの外観の一例を示す図である。なお、図５，６において、図１，２と同様の構成については同じ符号を付し、説明を省略する。
【００４３】
図５に示す画像表示装置１０Ａは、表示部１１と、操作部１２Ａと、表示内容情報格納部１３Ａと、表示制御部１４Ａとを備える。
【００４４】
操作部１２Ａは、図６に示すように、キー１２１ｇ，１２１ｈ，１２１ｉと、複数のキーから構成されるキー群１２１ｊとを備える。例えば、キー１２１ｇは、全画面表示での画像Ａの表示に用いられるキーである。キー１２１ｈは、全画面表示での画像Ｂの表示に用いられるキーである。また、キー１２１ｉは、全画面表示での画像Ｃの表示、および、分割画面表示への切り替えに用いられるキーである。キー１２１ｉが押下されると、画像Ｃの表示または所定の二画面構成での分割画面表示が行われる。また、キー１２１ｉが押下されると、分割画面表示を行う際の画面構成（例えば、画像Ａ＋画像Ａ、画像Ａ＋画像Ｂ、画像Ａ＋画像Ｃ、画像Ｂ＋画像Ａ・・・）を選択するための選択肢が表示部１１に表示される。キー群１２１ｊを構成する複数のキーは、表示部１１に選択肢が表示された状態で有効となる。表示部１１に表示された選択肢はそれぞれ、キー群１２１ｊを構成するいずれかのキーに対応付けられている。また、キー群１２１ｊを構成するキーのうち、少なくとも１つは、選択肢の切り替えを行うために用いられる。表示内容情報格納部１３Ａは、上述した各キーへの画像の割り当てなどを記憶する。
【００４５】
図７は、図５に示す画像表示装置１０Ａの動作の一例を示すフローチャートである。図７においては、キー１２１ｇが画像Ａの全画面表示に用いられ、キー１２１ｈが画像Ｂの全画面表示に用いられ、キー１２１ｉが、画像Ｃの全画面表示、および、分割画面表示を行う際の画面構成の選択肢の表示に用いられるものとして説明する。
【００４６】
測定器２０Ａの電源がオンになると、表示制御部１４Ａは、画像Ａの表示部１１への全画面表示を行う。また、表示制御部１４Ａは、画像Ａが割り当てられたキー１２１ｇを点灯させる（ステップＳ２０１）。
【００４７】
次に、表示制御部１４Ａは、キー１２１ｇが押下されたか否かを判定する（ステップＳ２０２）。
【００４８】
キー１２１ｇが押下されたと判定した場合には（ステップＳ２０２：Ｙｅｓ）、表示制御部１４Ａは、キー１２１ｇに割り当てられた画像Ａの表示部１１への全画面表示を行う。また、表示制御部１４Ａは、画像Ａが割り当てられたキー１２１ｇを点灯させ（ステップＳ２０３）、ステップＳ２０２の処理に戻る。
【００４９】
キー１２１ｇが押下されていないと判定した場合には（ステップＳ２０２：Ｎｏ）、表示制御部１４Ａは、キー１２１ｈが押下されたか否かを判定する（ステップＳ２０４）。
【００５０】
キー１２１ｈが押下されたと判定した場合には（ステップＳ２０４：Ｙｅｓ）、表示制御部１４Ａは、キー１２１ｈに割り当てられた画像Ｂの表示部１１への全画面表示を行う。また、表示制御部１４Ａは、画像Ｂが割り当てられたキー１２１ｈを点灯させ（ステップＳ２０５）、ステップＳ２０２の処理に戻る。
【００５１】
キー１２１ｈが押下されていないと判定した場合には（ステップＳ２０４：Ｎｏ）、表示制御部１４Ａは、キー１２１ｉが押下されたか否かを判定する（ステップＳ２０６）。
【００５２】
キー１２１ｉが押下されたと判定した場合には（ステップＳ２０６：Ｙｅｓ）、表示制御部１４Ａは、画像Ｃまたは所定の二画面構成の画像を表示部１１に表示する。また、表示制御部１４Ａは、二画面構成を選択するための選択肢を表示部１１に表示する。また、表示制御部１４Ａは、キー１２１ｉを点灯させ（ステップＳ２０７）、ステップＳ２０２の処理に戻る。
【００５３】
キー１２１ｉが押下されていないと判定した場合には（ステップＳ２０６：Ｎｏ）、表示制御部１４Ａは、二画面構成を選択するための選択肢を表示部１１に表示しているか否かを判定する（ステップＳ２０８）。
【００５４】
二画面構成を選択するための選択肢を表示部１１に表示していると判定した場合には（ステップＳ２０８：Ｙｅｓ）、表示制御部１４Ａは、キー群１２１ｊを構成するキーのうち、二画面構成の選択肢に対応付けられたキーが押下されたか否かを判定する（ステップＳ２０９）。
【００５５】
二画面構成の選択肢に対応付けられたキーが押下されたと判定した場合には（ステップＳ２０９：Ｙｅｓ）、表示制御部１４Ａは、押下されたキーに対応付けられた二画面構成の画像を表示部１１に表示し（ステップＳ２１０）、ステップＳ２０２の処理に戻る。
【００５６】
二画面構成の選択肢に対応付けられたキーが押下されていないと判定した場合には（ステップＳ２０９：Ｎｏ）、表示制御部１４Ａは、キー群１２１ｊを構成するキーのうち、選択肢を切り替えるための「選択肢の切り替え」に対応付けられたキーが押下されたか否かを判定する（ステップＳ２１１）。
【００５７】
「選択肢の切り替え」に対応付けられたキーが押下されたと判定した場合には（ステップＳ２１１：Ｙｅｓ）、表示制御部１４Ａは、現在表示している選択肢とは異なる次の選択肢を表示部１１に表示し（ステップＳ２１２）、ステップＳ２０２の処理に戻る。
【００５８】
二画面構成を選択するための選択肢を表示部１１に表示していないと判定した場合（ステップＳ２０８：Ｎｏ）、および、「選択肢の切り替え」に対応付けられたキーが押下されていないと判定した場合には（ステップＳ２１１：Ｎｏ）、表示制御部１４Ａは、直前の表示部１１の表示と同じ内容を表示する（ステップＳ２１３）。すなわち、表示制御部１４Ａは、現在の表示部１１の表示を維持する。
【００５９】
次に、表示制御部１４Ａは、測定器２０Ａの電源をオフにするための操作が行われたか否かを判定する（ステップＳ２１４）。
【００６０】
測定器２０Ａの電源をオフにするための操作が行われていないと判定した場合には（ステップＳ２１４：Ｎｏ）、表示制御部１４Ａは、ステップＳ２０２の処理に戻る。
【００６１】
測定器２０Ａの電源をオフにするための操作が行われたと判定した場合には（ステップＳ２１４：Ｙｅｓ）、表示制御部１４Ａは、処理を終了する。
【００６２】
画像表示装置１０Ａにおいては、分割画面表示を行うためには、操作者は、キー１２１ｉを押下して二画面構成の選択肢を表示させたのち、キー群１２１ｊを構成する複数のキーのうち、所望の二画面構成に対応するキーを選択して押下する必要がある。すなわち、画像Ａ，Ｂが全画面表示されている状態では、分割画面表示への切り替えを行うことはできず、キー１２１ｉへの操作の後、キー群１２１ｊを構成するキーの中から、所望の二画面構成に対応するキーを選択して押下する必要がある。このような、全画面表示と分割画面表示との切り替えのための操作（キー１２１ｉの押下）、および、キー群１２１ｊを構成する複数のキーの中から、所望の二画面構成に対応するキーを選択するという操作は、操作者にとって手間のかかる操作である。また、画像表示装置１０Ａにおいては、二画面構成の選択肢が多い場合には、一度に選択肢を全て表示することができず、所望の選択肢を操作者が選択するために、別の選択肢を表示させるための操作が必要となることがある。また、画像表示装置１０Ａにおいては、キー１２１ｉが点灯している場合、どの画面構成の画像が表示されているかを判別することができない。
【００６３】
次に、本実施形態に係る画像表示装置１０の動作について、図８に示すフローチャートを参照して説明する。なお、以下では、分割画面表示を行う際には、表示部１１の表示領域１１ａが上下に２つの分割画面に分割されるものとする。そして、上側の分割画面には、キー１２１ａ，１２１ｂが割り当てられるものとする。また、下側の分割画面には、キー１２１ｃ，１２１ｄが割り当てられるものとする。また、全画面表示を行う際には、表示領域１１ａ全面にキー１２１ｅ，１２１ｆが割り当てられるものとする。また、キー１２１ａ，１２１ｃには、画像Ａが割り当てられるものとする。また、キー１２１ｂ、１２１ｄには、複数の画像Ｂ，Ｃ，・・・が割り当てられるものとする。また、キー１２１ｅには、画像Ａが割り当てられるものとする。また、キー１２１ｆには、複数の画像Ｂ，Ｃ，・・・が割り当てられるものとする。
【００６４】
測定器２０の電源がオンになると、表示制御部１４は、例えば、表示部１１の表示領域１１ａの全面に画像Ａを表示する（ステップＳ１０１）。すなわち、表示制御部１４は、画像Ａを全画面表示する。なお、表示制御部１４は、所定の二画面構成の画像を表示部１１の表示領域１１ａに表示してもよい。例えば、表示制御部１４は、上側の分割画面に画像Ａを表示し、下側の分割画面に画像Ｂを表示してもよい。
【００６５】
次に、表示制御部１４（２画面構成制御部１４１）は、キー１２１ａが押下されたか否かを判定する（ステップＳ１０２）。
【００６６】
キー１２１ａが押下されたと判定した場合には（ステップＳ１０２：Ｙｅｓ）、表示制御部１４（２画面構成制御部１４１）は、キー１２１ａに割り当てられた画像Ａを、表示領域１１ａの上側の分割画面に表示する。また、表示制御部１４（２画面構成制御部１４１）は、表示領域１１ａの下側の分割画面には、直前の表示と同じ内容の画像を表示する。例えば、画像Ａの全画面表示が行われている場合には、表示制御部１４（２画面構成制御部１４１）は、下側の分割画面には、画像Ａを表示する。また、例えば、分割画面表示が行われている場合には、表示制御部１４（２画面構成制御部１４１）は、下側の分割画面の表示を維持する。また、表示制御部１４（２画面構成制御部１４１）は、上側の分割画面に表示された画像Ａが割り当てられたキー１２１ａを点灯させ（ステップＳ１０３）、ステップＳ１０２の処理に戻る。
【００６７】
キー１２１ａが押下されていないと判定した場合には（ステップＳ１０２：Ｎｏ）、表示制御部１４（２画面構成制御部１４１）は、キー１２１ｂが押下されたか否かを判定する（ステップＳ１０４）。
【００６８】
キー１２１ｂが押下されたと判定した場合には（ステップＳ１０４：Ｙｅｓ）、表示制御部１４（２画面構成制御部１４１）は、キー１２１ｂに割り当てられた画像Ｂ，Ｃ，・・・のいずれかを、表示領域１１ａの上側の分割画面に表示する。また、表示制御部１４（２画面構成制御部１４１）は、表示領域１１ａの下側の分割画面には、直前の表示と同じ内容の画像を表示する。また、表示制御部１４（２画面構成制御部１４１）は、上側の分割領域に表示された画像Ｂ，Ｃ，・・・が割り当てられたキー１２１ｂを点灯させ（ステップＳ１０５）、ステップＳ１０２の処理に戻る。なお、表示制御部１４（２画面構成制御部１４１）は、キー１２１ｂが所定の時間内に繰り返し操作された（押下された）場合、すなわち、キー１２１ｂが連続して操作された場合には、キー１２１ｂが割り当てられた上側の分割画面に表示する画像を、キー１２１ｂに割り当てられた画像Ｂ，Ｃ，・・・の中で順次切り替える。
【００６９】
ステップＳ１０２〜Ｓ１０５で説明した、上側の分割領域に表示する画像を選択する処理は、表示部１１の表示が、全画面表示か分割画面表示かに関わらず、また、画像Ａ，Ｂ，Ｃのいずれが表示されている状態でも、キー１２１ａ，１２１ｂに対する操作により、実行される。上述したように、キー１２１ａ，１２１ｂは、第１の入力部１２ａを構成する。したがって、第１の入力部１２ａは、全画面表示か分割画面表示かに関わらず、第１から第３の画像としての画像Ａ，Ｂ，Ｃのいずれが表示されている状態でも、操作されることにより、上側の分割画面（第１の分割画面）に表示する画像を、画像Ａ，Ｂ，Ｃの中から選択可能である。
【００７０】
また、第１の入力部１２ａは、キー１２１ａ（第１の主入力部）と、キー１２１ｂ（第１の副入力部）とを有する。キー１２１ａは、操作されることにより、画像Ａ（第１の画像）を上側の分割領域に表示させる。また、キー１２１ｂは、操作されることにより、画像Ａ以外の画像Ｂ，Ｃを上側の分割領域に表示させる。また、キー１２１ｂは、連続した操作により、上側の分割領域に表示させる画像を切り替える。
【００７１】
なお、本実施形態においては、第１の入力部１２ａが、２つのキー１２１（第１の主入力部としてのキー１２１ａ、および、第１の副入力部としてのキー１２１ｂ）により構成される例を用いて説明したが、これに限られるものではない。第１の入力部１２ａは、１つのキー１２１で構成されていてもよいし、３以上のキー１２１で構成されてもよい。
【００７２】
キー１２１ｂが押下されていないと判定した場合には（ステップＳ１０４：Ｎｏ）、表示制御部１４（２画面構成制御部１４１）は、キー１２１ｃが押下されたか否かを判定する（ステップＳ１０６）。
【００７３】
キー１２１ｃが押下されたと判定した場合には（ステップＳ１０６：Ｙｅｓ）、表示制御部１４（２画面構成制御部１４１）は、キー１２１ｃに割り当てられた画像Ａを、表示領域１１ａの下側の分割画面に表示する。また、表示制御部１４（２画面構成制御部１４１）は、表示領域１１ａの上側の分割領域には、直前の表示と同じ内容の画像を表示する。例えば、画像Ａの全画面表示が行われている場合には、表示制御部１４（２画面構成制御部１４１）は、上側の分割画面には、画像Ａを表示する。また、例えば、分割画面表示が行われている場合には、表示制御部１４（２画面構成制御部１４１）は、上側の分割画面の表示を維持する。また、表示制御部１４（２画面構成制御部１４１）は、下側の分割画面に表示された画像Ａが割り当てられたキー１２１ｃを点灯させ（ステップＳ１０７）、ステップＳ１０２の処理に戻る。
【００７４】
キー１２１ｃが押下されていないと判定した場合には（ステップＳ１０６：Ｎｏ）、表示制御部１４（２画面構成制御部１４１）は、キー１２１ｄが押下されたか否かを判定する（ステップＳ１０８）。
【００７５】
キー１２１ｄが押下されたと判定した場合には（ステップＳ１０８：Ｙｅｓ）、表示制御部１４（２画面構成制御部１４１）は、キー１２１ｄに割り当てられた画像Ｂ，Ｃ，・・・のいずれかを、表示領域１１ａの下側の分割領域に表示する。また、表示制御部１４（２画面構成制御部１４１）は、表示領域１１ａの上側の分割画面には直前の表示と同じ内容の画像を表示する。また、表示制御部１４（２画面構成制御部１４１）は、下側の分割領域に表示された画像Ｂ，Ｃ，・・・が割り当てられたキー１２１ｄを点灯させ（ステップＳ１０９）、ステップＳ１０２の処理に戻る。なお、表示制御部１４（２画面構成制御部１４１）は、キー１２１ｄが連続して操作された場合には、キー１２１ｄが割り当てられた下側の分割画面に表示する画像を、キー１２１ｄに割り当てられた画像Ｂ，Ｃ，・・・の中で順次切り替える。
【００７６】
ステップＳ１０６〜Ｓ１０９で説明した、下側の分割領域に表示する画像を選択する処理は、表示部１１の表示が、全画面表示か分割画面表示かに関わらず、また、画像Ａ，Ｂ，Ｃのいずれが表示されている状態でも、キー１２１ｃ，１２１ｄに対する操作により、実行される。上述したように、キー１２１ｃ，１２１ｄは、第２の入力部１２ｂを構成する。したがって、第２の入力部１２ｂは、全画面表示か分割画面表示かに関わらず、第１から第３の画像としての画像Ａ，Ｂ，Ｃのいずれが表示されている状態でも、操作されることにより、下側の分割画面（第２の分割画面）に表示する画像を、画像Ａ，Ｂ，Ｃの中から選択可能である。
【００７７】
また、第２の入力部１２ｂは、キー１２１ｃ（第２の主入力部）と、キー１２１ｄ（第２の副入力部）とを有する。キー１２１ｃは、操作されることにより、画像Ａ（第１の画像）を下側の分割領域に表示させる。また、キー１２１ｄは、操作されることにより、画像Ａ以外の画像Ｂ，Ｃを下側の分割領域に表示させる。また、キー１２１ｄは、連続した操作により、下側の分割領域に表示させる画像を切り替える。
【００７８】
なお、本実施形態においては、第２の入力部１２ｂが、２つのキー１２１（第２の主入力部としてのキー１２１ｃ、および、第２の副入力部としてのキー１２１ｄ）により構成される例を用いて説明したが、これに限られるものではない。第１の入力部１２ａは、１つのキー１２１で構成されていてもよいし、３以上のキーで構成されていてもよい。
【００７９】
キー１２１ｄが押下されていないと判定した場合には（ステップＳ１０８：Ｎｏ）、表示制御部１４（１画面構成制御部１４２）は、キー１２１ｅが押下されたか否かを判定する（ステップＳ１１０）。
【００８０】
キー１２１ｅが押下されたと判定した場合には（ステップＳ１１０：Ｙｅｓ）、表示制御部１４（１画面構成制御部１４２）は、キー１２１ｅに割り当てられた画像Ａを、表示領域１１ａ全面に表示する。また、表示制御部１４（１画面構成制御部１４２）は、表示領域１１ａ全面に表示された画像Ａが割り当てられたキー１２１ｅを点灯させ（ステップＳ１１１）、ステップＳ１０２の処理に戻る。
【００８１】
キー１２１ｅが押下されていないと判定した場合には（ステップＳ１１０：Ｎｏ）、表示制御部１４（１画面構成制御部１４２）は、キー１２１ｆが押下されたか否かを判定する（ステップＳ１１２）。
【００８２】
キー１２１ｆが押下されたと判定した場合には（ステップＳ１１２：Ｙｅｓ）、表示制御部１４（１画面構成制御部１４２）は、キー１２１ｆに割り当てられた画像Ｂ，Ｃ，・・・のいずれかを、表示領域１１ａ全面に表示する。また、表示制御部１４（１画面構成制御部１４２）は、表示領域１１ａ全面に表示された画像Ｂ，Ｃ，・・・が割り当てられたキー１２１ｆを点灯させ（ステップＳ１１３）、ステップＳ１０２の処理に戻る。なお、表示制御部１４（１画面構成制御部１４２）は、キー１２１ｆが連打された場合には、キー１２１ｆが割り当てられた表示領域１１ａ全面に表示する画像を、キー１２１ｆに割り当てられた画像Ｂ，Ｃ，・・・の中で順次切り替える。ステップＳ１１０〜Ｓ１１３で説明した、全画面表示で表示する画像を選択する処理は、分割画面表示が行われている状態でも、キー１２１ｅ，１２１ｆに対する操作により実行される。キー１２１ｅ，１２１ｆは、全画面表示か分割画面表示かに関わらず、また、画像Ａ，Ｂ，Ｃのいずれが表示されている状態でも、操作されることにより、全画面表示で表示する画像を画像Ａ，Ｂ，Ｃの中から選択可能な全画面入力部を構成する。また、キー１２１ｅは、操作されることにより、画像Ａ（第１の画像）を全画面表示で表示させる全画面主入力部を構成する。キー１２１ｆは、操作されることにより、画像Ａ以外の画像Ｂ，Ｃを全画面表示で表示させる全画面副入力部を構成する。全画面副入力部（キー１２１ｆ）は、連続した操作により、全画面表示で表示される画像を切り替える。
【００８３】
キー１２１ｆが押下されていないと判定した場合には（ステップＳ１１２：Ｎｏ）、表示制御部１４（１画面構成制御部１４２）は、現在の表示部１１の表示を維持する（ステップＳ１１４）。
【００８４】
次に、表示制御部１４は、測定器２０の電源をオフにするための操作が行われたか否かを判定する（ステップＳ１１５）。
【００８５】
測定器２０の電源をオフにするための操作が行われていないと判定した場合には（ステップＳ１１５：Ｎｏ）、表示制御部１４は、ステップＳ１０２の処理に戻る。
【００８６】
測定器２０の電源をオフにするための操作が行われたと判定した場合には（ステップＳ１１５：Ｙｅｓ）、表示制御部１４は、処理を終了する。
【００８７】
本実施形態に係る画像表示装置１０においては、全画面表示を行っているか、分割画面表示を行っているかに関わらず、画像Ａ，Ｂ，Ｃ，・・・のいずれが表示されている状態でも、キー１２１ａ，１２１ｂを押下することで、画像Ａ，Ｂ，Ｃ，・・・の中から、上側の分割画面に表示する画像を選択することができる。また、画像表示装置１０においては、全画面表示を行っているか、分割画面表示を行っているかに関わらず、画像Ａ，Ｂ，Ｃ，・・・のいずれが表示されている状態でも、キー１２１ｃ，１２１ｄを押下することで、画像Ａ，Ｂ，Ｃ，・・・の中から、下側の分割画面に表示する画像を選択することができる。また、本実施形態に係る画像表示装置１０においては、全画面表示を行っているか、分割画面表示を行っているかに関わらず、画像Ａ，Ｂ，Ｃ，・・・のいずれが表示されている状態でも、キー１２１ｅ，１２１ｆを押下することで、画像Ａ，Ｂ，Ｃ，・・・の中から、表示領域１１ａ全面に表示する画像を選択することができる。したがって、操作者は、画面構成の切り替えのための操作（例えば、画像表示装置１０Ａにおけるキー１２１ｉの押下、および、所望の画面構成に対応するキー群１２１ｊを構成するキーの押下）を行うことなく、所望の画面構成および所望の画像に対応するキーを押下するだけで、所望の画面構成で所望の画像を表示部１１に表示することができる。そのため、所望の画像を選択して表示部１１に表示する手間を削減し、操作性の向上を図ることができる。また、本実施形態に係る画像表示装置１０においては、表示部１１に表示される画像と、その画像が表示される領域とに応じて、キー１２１が点灯する。そのため、操作者は、どのような表示態様で、どの画像が表示されているかを、どのキーが点灯しているかを確認するだけで判別することができる。
【００８８】
図８においては、キー１２１が押下げにより操作されるキーであり、表示部１１に表示された画像に対応するキー１２１を点灯させる例を用いて説明したが、上述したように、キー１２１は、タッチパネル上にオブジェクトとして表示されてもよい。キー１２１がタッチパネル上にオブジェクトとして表示される場合には、例えば、表示部１１に表示される画像に対応するキー１２１の表示色を他のキー１２１と異ならせる、表示部１１に表示される画像に対応するキー１２１を点灯させるなどしてもよい。
【００８９】
表示制御部１４は、表示部１１に表示される画像に対応するキーが切り替わると、点灯させるキーを切り替える。すなわち、第１の入力部１２ａを構成するキー１２１ａ（第１の主入力部），１２１ｂ（第１の副入力部）、第２の入力部１２ｂを構成するキー１２１ｃ（第２の主入力部），キー１２１ｄ（第２の副入力部）はそれぞれ、表示部１１に表示させた画像の表示状態が維持されている間のみ所定の視覚効果を提示する。
【００９０】
以下では、本実施形態に係る画像表示装置１０と、参考例としての画像表示装置１０Ａとの操作の違いについて、具体的な表示例を挙げて説明する。なお、上述したように、本実施形態においては、２画面構成制御部１４１が分割画面表示における画面構成を制御し、１画面構成制御部１４２が全画面表示における画面構成を制御するが、以下では、記載の簡略化のため、これらを区別せず、表示制御部１４が、分割画面表示および全画面表示における画面構成を制御するものとして説明する。
【００９１】
まず、画像Ａを表示領域１１ａ全面に表示する全画面表示から、上側の分割画面に画像Ａを表示し、下側の分割画面に画像Ｂを表示する分割画面表示への切り替えを行う場合を例として説明する。
【００９２】
画像表示装置１０Ａにおいては、まず、キー１２１ｉが押下される。キー１２１ｉが押下されると、二画面構成を選択するための選択肢が表示部１１に表示される。次に、キー群１２１ｊの中から、上側の分割画面に画像Ａを表示する選択肢に対応するキーが押下される。上側の分割画面に画像Ａを表示する選択肢に対応するキーが押下されると、下側の分割画面に表示する画像を選択するための選択肢が表示される。次に、下側の分割画面に画像Ｂを表示する選択肢に対応するキーが押下されると、上側の分割画面には画像Ａが表示され、下側の分割画面には画像Ｂが表示された分割画面表示が行われる。このように、画像表示装置１０Ａでは、所望の画像を表示するために、３回のキー操作が必要となる。
【００９３】
一方、本実施形態に係る画像表示装置１０においては、まず、キー１２１ｄが押下される。キー１２１ｄが押下されると、上側の分割画面には画像Ａに対応する画像Ａが表示され、下側の分割画面には、画像Ｂ，Ｃ，・・・のいずれかが表示される。このとき、所望の画像（画像Ｂ）が表示された場合には、以降の操作は不要である。所望の画像が表示されなかった場合には、所望の画像が下側の分割領域に表示されるまで、キー１２１ｄの押下が繰り返される。このように、画像表示装置１０においては、最短で１回のキー操作で所望の画像を表示することができる。
【００９４】
次に、上側の分割画面に画像Ａを表示し、下側の分割画面に画像Ｂを表示する分割画面表示から、上側の分割画面に画像Ｂを表示し、下側の分割画面に画像Ａを表示する分割画面表示への切り替えを行う場合を例として説明する。
【００９５】
画像表示装置１０Ａにおいては、まず、キー１２１ｉが押下される。キー１２１ｉが押下されると、二画面構成を選択するための選択肢が表示部１１に表示される。次に、キー群１２１ｊの中から、上側の分割画面に画像Ｂを表示する選択肢に対応するキーが押下される。上側の分割画面に画像Ｂを表示する選択肢に対応するキーが押下されると、下側の分割画面に表示する画像を選択するための選択肢が表示される。次に、下側の分割画面に画像Ａを表示する選択肢に対応するキーが押下されると、上側の分割画面には画像Ｂが表示され、下側の分割画面には画像Ａが表示された分割画面表示が行われる。このように、画像表示装置１０Ａでは、所望の画像を表示するために、３回のキー操作が必要となる。
【００９６】
一方、本実施形態に係る画像表示装置１０において、まず、キー１２１ｂが押下される。キー１２１ｂが押下されると、上側の分割画面には画像Ｂ，Ｃ，・・・のいずれかが表示される。このとき、所望の画像（画像Ｂ）が表示された場合には、以降の操作は不要である。所望の画像が表示されなかった場合には、所望の画像が上側の分割画面に表示されるまで、キー１２１ｂの押下が繰り返される。画像Ｂが上側の分割画面に表示されると、キー１２１ｃが押下される。キー１２１ｃが押下されると、下側の分割画面に画像Ａが表示される。このように、画像表示装置１０においては、最短で２回のキー操作で所望の画像を表示することができる。
【００９７】
次に、上側の分割画面に画像Ｂを表示し、下側の分割画面に画像Ａを表示した分割画面表示から、画像Ｃを表示領域１１ａ全面に表示する全画面表示への切り替えを行う場合を例として説明する。
【００９８】
画像表示装置１０Ａにおいては、まず、キー１２１ｉが押下される。キー１２１ｉが押下されると、画像Ｃの表示または二画面構成を選択するための選択肢が表示部１１に表示される。次に、キー群１２１ｊの中から、表示領域１１ａ全面に画像Ｃを表示する選択肢に対応するキーが押下される。表示領域１１ａ全面に画像Ｃを表示する選択肢に対応するキーが押下されると、表示領域１１ａ全面に画像Ｃが表示される。このように、画像表示装置１０Ａでは、所望の画像を表示するために、２回のキー操作が必要となる。
【００９９】
一方、本実施形態に係る画像表示装置１０において、まず、キー１２１ｅが押下される。キー１２１ｅが押下されると、表示領域１１ａ全面に画像Ｂ，Ｃ，・・・のいずれかが表示される。このとき、所望の画像（画像Ｃ）が表示された場合には、以降の操作は不要である。所望の画像が表示されなかった場合には、所望の画像（画像Ｃ）が表示領域１１ａ全面に表示されるまで、キー１２１ｅの押下が繰り返される。このように、画像表示装置１０においては、最短で１回のキー操作で所望の画像を表示することができる。
【０１００】
上述したように、画像表示装置１０Ａにおいては、全画面表示と分割画面表示との間での切り替え、および、分割画面表示間での切り替えにおいて、複数のキー群１２１ｊの中から所望の選択肢に対応するキーを選択して押下する必要がある。このような、キー群１２１ｊの中から、所望の選択肢に対応するキーを選択して押下することは、操作者にとって手間となる。
【０１０１】
一方、本実施形態に係る画像表示装置１０においては、複数の画像Ｂ，Ｃ，・・・から表示する画像を選択する場合にも、同じキー１２１を繰り返し押下すればよい。このような同じキー１２１の繰り返しの押下は、キー群１２１ｊの中の、所望の選択肢に対応するキーの押下と比べて、操作者にとって負荷が少ない。そのため、操作性の向上を図ることができる。
【０１０２】
また、本実施形態に係る画像表示装置１０においては、１つの分割画面に対して、少なくとも２つのキー１２１が割り当てられている。例えば、上側の分割画面に対しては、キー１２１ａ（第１の主入力部）と、キー１２１ｂ（第１の副入力部）とが割り当てられている。また、下側の分割画面に対しては、キー１２１ｃ（第２の主入力部）と、キー１２１ｄ（第２の副入力部）とが割り当てられている。そして、キー１２１ａ，１２１ｃには、１の画像（画像Ａ）が割り当てられている。また、キー１２１ｂ，１２１ｄには、複数の画像（画像Ｂ，Ｃ，・・・）が割り当てられている。また、キー１２１ｅには、１の画像（画像Ａ）が割り当てられている。また、キー１２１ｆには、複数の画像（画像Ｂ，Ｃ，・・・）が割り当てられている。
【０１０３】
ここで、測定器２０が電力測定器である場合には、画像Ａは、例えば、図９Ａに示すように、測定器２０による電力、電圧、電流など測定値を示す画像である。また、画像Ｂ，Ｃは、例えば、図９Ｂに示す電流、電圧の波形表示を示す画像、図９Ｃに示すベクトル表示を示す画像、図９Ｄに示すバーグラフ表示を示す画像、図９Ｅに示すトレンド表示を示す画像などである。なお、ベクトル表示とは、電圧、電流の基本波の位相差をベクトルで表示したものである。また、バーグラフ表示とは、電圧、電流の高調波の大きさをバーグラフで表示したものである。また、トレンド表示とは、測定器２０の測定値の時系列的なトレンド（推移）を表示したものである。
【０１０４】
一般に、電力測定器などの測定器２０においては、特定の画像が高頻度に表示される。例えば、測定器２０が電力測定器である場合には、図９Ａに示す、測定器２０による電力、電圧、電流など測定値を示す画像が高頻度に表示される。そして、図９Ｂ〜図９Ｅに示したような他の画像が順次切り替えながら表示される。したがって、分割画面表示が行われる場合には、図９Ｆおよび図９Ｇに示すように、分割画面の一方に、測定器２０による電力、電圧、電流など測定値を示す画像が表示され、分割画面の他方に、波形表示を示す画像、ベクトル表示を示す画像、バーグラフ表示を示す画像、トレンド表示を示す画像などが表示されることが多い。図９Ｆでは、上側の分割画面に、測定器２０による測定値を示す画像が表示され、下側の分割画面に波形表示を示す画像が表示されている例を示している。また、図９Ｇでは、上側の分割画面に、測定器２０による測定値を示す画像が表示され、下側の分割画面にベクトル表示を示す画像が表示されている例を示している。
【０１０５】
本実施形態においては、キー１２１ａ，１２１ｃには、１の画像（画像Ａ）が割り当てられている。また、キー１２１ｂ，１２１ｄには、複数の画像（画像Ｂ，Ｃ，・・・）が割り当てられている。また、キー１２１ｅには、１の画像（画像Ａ）が割り当てられている。また、キー１２１ｆには、複数の画像（画像Ｂ，Ｃ，・・・）が割り当てられている。このように、高頻度に表示される画像、すなわち、優先度が高い画像については、キー１２１と１対１で割り当てられる。一方、優先度が低い画像については、キー１２１とＮ（Ｎは２以上の整数）対１で割り当てられる。そのため、優先度が高い画像については、その画像が割り当てられたキー１２１を一度押下するだけ、表示部１１に表示させることができる。そのため、操作性の向上を図ることができる。
【０１０６】
なお、上述した実施形態においては、表示領域１１ａを上下に２つの分割画面に分割する例を用いて説明したが、これに限られるものではない。表示領域１１ａは、左右に２つの分割画面に分割してもよい。また、表示領域１１ａは、３以上の分割画面に分割してもよい。例えば、図１０に示すように、表示領域１１ａは、上下方向に３つの分割画面に分割してもよい。
【０１０７】
図１０に示す測定器２０においては、９つのキー１２１（キー１２１ｋ〜１２１ｓ）が設けられている。表示領域１１ａが上下方向３つに分割された分割画面のうち、上側の分割画面には、例えば、キー１２１ｋ，１２１ｌ，１２１ｍが割り当てられる。また、表示領域１１ａが上下方向３つに分割された分割画面のうち、真ん中の分割画面には、例えば、キー１２１ｎ，１２１ｏ，１２１ｐが割り当てられる。また、表示領域１１ａが上下方向３つに分割された分割画面のうち、下側の分割画面には、例えば、キー１２１ｑ，１２１ｒ，１２１ｓが割り当てられる。また、キー１２１ｋ，１２１ｎ，１２１ｑには、画像Ａが割り当てられる。また、キー１２１ｌ，１２１ｏ，１２１ｒには、画像Ｂが割り当てられる。また、キー１２１ｍ，１２１ｐ，１２１ｓには、画像Ｃが割り当てられる。
【０１０８】
次に、本実施形態に係る画像表示装置１０における画像表示方法について説明する。なお、本実施形態に係る画像処理プログラムは、本実施形態に係る画像表示方法に含まれる各ステップを画像表示装置１０内のコンピュータに実行させるものである。
【０１０９】
本実施形態に係る画像表示方法は、第１の入力部１２ａへの操作により、第１の分割画面（上側の分割画面）に第１から第３の画像（画像Ａ，Ｂ，Ｃ）のいずれかを表示する第１の分割画面表示ステップと、第２の入力部１２ｂへの操作により、第２の分割画面（下側の分割画面）に第１から第３の画像（画像Ａ，Ｂ，Ｃ）のいずれかを表示する第２の分割画面表示ステップと、を含む。
【０１１０】
ここで、本実施形態に係る画像表示方法においては、第１の分割画面表示ステップと、第２の分割画面表示ステップとは、逆の順序で実行されてもよい。
【０１１１】
また、第１の分割画面表示ステップにおいては、第１の主入力部としてのキー１２１ａへの操作により、画像Ａを第１の分割画面に表示し、第１の副入力部としてのキー１２１ｂへの操作により、画像Ａ以外の画像Ｂ，Ｃを第１の分割画面に表示してもよい。また、第１の副入力部としてのキー１２１ｂは、連続した操作により、第１の分割画面に表示させる画像を切り替えてもよい。
【０１１２】
また、第２の分割画面表示ステップにおいては、第２の主入力部としてのキー１２１ｃへの操作により、画像Ａを第２の分割画面に表示し、第２の副入力部としてのキー１２１ｄへの操作により、画像Ａ以外の画像Ｂ，Ｃを第２の分割画面に表示してもよい。また、第２の副入力部としてのキー１２１ｄは、連続した操作により、第２の分割画面に表示させる画像を切り替えてもよい。
【０１１３】
また、第１の分割画面表示ステップおよび第２の分割画面表示ステップにおいては、第１の主入力部としてのキー１２１ａ、第１の副入力部としてのキー１２１ｂ、第２の主入力部としてのキー１２１ｃおよび第２の副入力部としてのキー１２１ｄはそれぞれ、表示させた画像の表示状態が維持される間のみ、所定の視覚効果を提示してもよい。
【０１１４】
このように本実施形態によれば、画像表示装置１０は、表示領域１１ａの全面への全画面表示と、表示領域１１ａを分割した少なくとも第１および第２の分割画面への分割画面表示とが可能であり、表示領域１１ａの全面と、第１および第２の分割画面とにそれぞれ少なくとも画像Ａ，Ｂ，Ｃ（第１から第３の画像）を表示可能な表示部１１と、全画面表示か分割画面表示かに関わらず、画像Ａ，Ｂ，Ｃのいずれが表示されている状態でも、操作されることにより、第１の分割画面に表示する画像を画像Ａ，Ｂ，Ｃの中から選択可能な第１の入力部１２ａと、全画面表示か分割画面表示かに関わらず、画像Ａ，Ｂ，Ｃのいずれが表示されている状態でも、操作されることにより、第２の分割画面に表示する画像を画像Ａ，Ｂ，Ｃの中から選択可能な第２の入力部１２ｂと、を備える。
【０１１５】
画像表示装置１０においては、全画面表示を行っているか、分割画面表示を行っているかに関わらず、画像Ａ，Ｂ，Ｃ，・・・のいずれが表示されている状態でも、第１の入力部１２ａを操作することで、第１の分割画面に表示する画像を選択することができる。また、画像表示装置１０においては、全画面表示を行っているか、分割画面表示を行っているかに関わらず、画像Ａ，Ｂ，Ｃ，・・・のいずれが表示されている状態でも、第２の入力部１２ｂを操作することで、第２の分割画面に表示する画像を選択することができる。したがって、操作者は、所望の画面構成および所望の画像に対応するキーを押下するだけで、所望の画面構成で所望の画像を表示部１１に表示することができる。そのため、所望の画像を選択して表示部１１に表示する手間を削減し、操作性の向上を図ることができる。
【０１１６】
以上、画像表示装置１０について説明したが、画像表示装置１０として機能させるために、コンピュータを好適に用いることが可能である。そのようなコンピュータは、画像表示装置１０の各機能を実現する処理内容を記述したプログラムを、該コンピュータの記憶部に格納しておき、該コンピュータのＣＰＵによってこのプログラムを読み出して実行させることで実現することができる。
【０１１７】
また、プログラムは、コンピュータが読取り可能な記録媒体に記録されていてもよい。このような記録媒体を用いれば、プログラムをコンピュータにインストールすることが可能である。ここで、プログラムが記録された記録媒体は、非一過性の記録媒体であってもよい。非一過性の記録媒体は、特に限定されるものではないが、例えば、ＣＤ−ＲＯＭやＤＶＤ−ＲＯＭなどの記録媒体であってもよい。
【０１１８】
本発明は、上述した実施形態で特定された構成に限定されず、特許請求の範囲に記載した発明の要旨を逸脱しない範囲内で種々の変形が可能である。例えば、各構成部、各ステップなどに含まれる機能などは論理的に矛盾しないように再構成可能であり、複数の構成部またはステップなどを１つに組み合わせたり、あるいは分割したりすることが可能である。
【符号の説明】
【０１１９】
１０，１０Ａ    画像表示装置
１１    表示部
１１ａ    表示領域
１２，１２Ａ    操作部
１２ａ    第１の入力部
１２ｂ    第２の入力部
１３，１３Ａ    表示内容情報格納部
１４，１４Ａ    表示制御部
１４１    ２画面構成制御部
１４２    １画面構成制御部
１２１，１２１ａ〜１２１ｉ，１２１ｋ〜１２１ｓ    キー
１２１ｊ    キー群
２０，２０Ａ    測定器
【図１】
2019185563.tif 000003
【図２】
2019185563.tif 000004
【図３】
2019185563.tif 000005
【図４】
2019185563.tif 000006
【図５】
2019185563.tif 000007
【図６】
2019185563.tif 000008
【図７】
2019185563.tif 000009
【図８】
2019185563.tif 000010
【図９Ａ】
2019185563.tif 000011
【図９Ｂ】
2019185563.tif 000012
【図９Ｃ】
2019185563.tif 000013
【図９Ｄ】
2019185563.tif 000014
【図９Ｅ】
2019185563.tif 000015
【図９Ｆ】
2019185563.tif 000016
【図９Ｇ】
2019185563.tif 000017
【図１０】
2019185563.tif 000018